(57)【要約】【課題】  単純な構造で、簡単に寸法の変更が出来る鍋敷きを提供する。【解決手段】  環状に構成される基体と鍋保持体とからなり、前記基体は外側部と内側部の区別を有し前記外側部と前記内側部とは反転可能構造で、更に複数の前記鍋保持体が前記基体内側部側若しくは前記基体外側部側に位置する様に前記基体に固定され前記鍋保持体と前記基体は一体化されている。【選択図】図１
2006020999.tif 000002
【特許請求の範囲】
【請求項１】
全体的に平坦な鍋敷きであって、全体的に環状に構成される基体と、鍋を載せるための耐熱性材からなる鍋保持体とからなり、前記基体は外側部と内側部の区別を有し前記外側部と前記内側部とは反転可能構造で、ある程度反発力を有する軟質材からなり、更に複数の前記鍋保持体が前記基体内側部側若しくは前記基体外側部側に位置する様に前記基体に固定され前記鍋保持体と前記基体は一体化され、前記基体内側部と前記基体外側部は反転可能であることによって最外寸法が大小２つの寸法に変更可能とし、更に前記鍋保持体は基体の内方向若しくは外方向に延出させており、其前記鍋保持体の内方向若しくは外方向への延出させる長さは、前記内側部側に固定された状態時において複数の前記鍋保持体の各先端部同士が重ならない程度の長さであると共に前記鍋保持体の高さ以上の長さであることを特徴とする鍋敷き。
【請求項２】
前記基体と前記鍋保持体は、シリコン樹脂によって一体成形されていることを特徴とする請求項１記載の鍋敷き。
【請求項３】
前記鍋保持体が縦に起立した薄板状であることを特徴とする請求項２記載の鍋敷き。
【発明の詳細な説明】
【技術分野】
【０００１】  本発明は、鍋、フライパン、やかん等の加熱調理器具等の下に敷くことによって、テーブルや調理台等の天面を熱、汚れ、傷などから守るための鍋敷きに関する。
【背景技術】
【０００２】  従来、鍋、フライパン、やかん等の加熱調理器具の下に敷くことによって、テーブルや調理台などを熱、汚れ、傷などから守るための鍋敷きにおいて、大きさを変更可能とする為に、鍋を載せるための保持体を複数個用い、その保持体の一部に貫通穴を開け、その貫通穴に無端若しくは有端の環状体や、紐、又は鎖などを通し、その前記保持体同士を連結させ、その保持体の並べ方によって大きさを変更可能とする鍋敷きは提案されていた。以下この鍋敷きを前者とする。【０００３】  さらに、その他の従来の鍋敷きとしては、耐熱性及び滑り止め性を有するシリコン樹脂からなり、その形状は多少表面若しくは裏面に凹凸はあるものの略シート状の鍋敷きは提案されていた。これは鍋敷き以外の用途としては、容器のネジ蓋を開けるためにも用いられる。そのためこの前記シート状の鍋敷きは、ネジ蓋に覆い被せてその上から手で握ると前記ネジ蓋の形状に馴染むほどに変形自在な厚さである。またこのシート状の鍋敷きは、すり鉢やボウルなどの調理器具の下に敷くことにより滑り止め用のマットとしても用いることが可能である。以下この鍋敷きを後者とする。
【発明の開示】
【発明が解決しようとする課題】
【０００４】  しかし、従来の鍋敷きにおいて、まず背景技術に記した前者の鍋敷きは、大きさの変更は可能であるが、その変更方法が面倒であった、その変更方法は、テーブルや調理台の上に置く度に複数の鍋の保持体を手で並べ、人が大きさを調整するものであり手間のかかるものであった。【０００５】  また、その鍋敷きは使用時に、ふとした拍子で複数の鍋の保持体の内のいずれかの保持体の位置がずれて不安定な配置になっているのに気づかず、そのままその上に鍋などを載せると鍋が不安定な状態のまま載せられていることもあり危険であった。【０００６】  さらに、その鍋敷きは、ネジ蓋を開ける器具としては使用出来ないものであった。【０００７】  次に、背景技術に記した後者の鍋敷きは、シート状であるために大きさの変更は不可能であった。【０００８】  また、その鍋敷きは、調理器具の滑り止め用のマットとして使用するには少し安定感が足りなかった。例えばボウルの中に生クリームを入れ激しく泡立て器で掻き回す場合、ボウルの底面と鍋敷きの上面のみの接地であるので泡立て器で激しく掻き回すとボウルが多少跳ね上がる瞬間があり、その瞬間に掻き回す時の横の力が加わりボウルがたびたび前後左右に移動してしまいイライラするものであった。【０００９】  さらに、その鍋敷きは、熱伝導率の高いシリコン樹脂からなり、更にシート状であるため、その鍋敷きの上にフライパン等の高温に加熱された調理器具を載せるとテーブルの天面や調理台の天面に熱が伝わり易くテーブル面や調理台の天面に鍋敷きの跡をつける可能性が高かった。
【課題を解決するための手段】
【００１０】  本発明は、上記背景技術の問題点に鑑みてなされたものであり、その課題を解決するための手段として請求項１の発明は、全体的に平坦な鍋敷きであって、全体的に環状に構成される基体と、鍋を載せるための耐熱性材からなる鍋保持体とからなり、前記基体は外側部と内側部の区別を有し前記外側部と前記内側部とは反転可能構造で、ある程度反発力を有する軟質材からなり、更に複数の前記鍋保持体が前記基体内側部側若しくは前記基体外側部側に位置する様に前記基体に移動不可能に固定され前記鍋保持体と前記基体は一体化され、前記基体内側部と前記基体外側部は反転可能であることによって最外寸法が大小２つの寸法に変更可能とし、更に前記鍋保持体は基体の内方向若しくは外方向に延出させており、其前記鍋保持体の内方向若しくは外方向への延出させる長さは、前記内側部側に固定された状態時において複数の前記鍋保持体の各先端部同士が重ならない程度の長さであると共に前記鍋保持体の高さ以上の長さであるところに特徴を有する。さらに、請求項２の発明は、前記基体と前記鍋保持体は、シリコン樹脂によって一体成形されているところに特徴を有する。さらに、請求項３の発明は、前記鍋保持体が縦に起立した薄板状であるところに特徴を有する。
【発明の効果】
【００１１】  請求項１に記載されている発明は、小さな鍋やポット等を載せるときは小さな状態の鍋敷きとして使用出来、場所をとらずにすむ。さらに大きな鍋等を載せる時には、大きな状態にすると大きな鍋敷きとして使用出来る。また小さくすることによって収納しやすくなる。しかし、これらは背景技術に記した前者の技術でも可能である。【００１２】  本発明の効果の特徴としては、大きさを変更するときは、ただ単純に基体を反転させるだけでよいということである。例として挙げるならば、収納先の例えば引き出しなどから小さな状態で急いで出して、すぐに大きな状態で使用したい時などには、背景技術に記した前者の技術のように鍋の保持体をその都度手で並べ直す必要がないので手間どらずに便利である。それはまるで一枚のシートを裏返すかのごとく簡単に出来てしまう。【００１３】  また、発明が解決しようとする課題の中でも問題点として記しているが、背景技術に記した前者の技術の鍋敷きのように、複数の鍋の保持体の内のいずれかの保持体が、ふとした拍子にずれることがないので、鍋を載せる時に安心である。【００１４】  更に、意匠の面から見てもたいへんユニークであるので、人を楽しませる効果もあり、新しい意匠を生み出す可能性もある。【００１５】  次に、請求項２に記載の発明の効果について述べると、背景技術に記す前者の技術の鍋敷きでは、ネジ蓋を開ける器具として使用するのは不可能であったが、後者の技術では可能である。また、背景技術に記した前者の技術の鍋敷きでは、大きさを変更するのは可能であったが、後者の技術では不可能である。しかし、この請求項２に記載の発明は、ネジ蓋を開ける器具として使用可能であり、更に大きさも変更可能である。【００１６】  ということは、最少の部点数、つまり一体成形されたたった一つの部材のみで背景技術に記した前者と後者の両者の技術の効果を損なうことなく実現するという効果がある。【００１７】  そして、この請求項２の発明は、一体成形されており最少の部点数であるため、背景技術に記した前者の技術と比較しても、組立作業がいらず、生産コストも安く出来、更に生産する時間も短縮出来る効果もある。【００１８】  また、背景技術に記す後者の技術では、ボウル等の調理器具の滑り止め効果はあるにはあるが、ボウルの底面を着けるだけであった。しかし、本発明はボウル底部の細くなった部分を囲むように固定させることが出来るので、例えばボウルと泡立て器を用いて激しく泡立てする時も背景技術に記した後者の技術よりもしっかりと滑り止め効果がある。その上、鍋保持体は外方向に広がっているため安定感がある。更にボウルを斜めの状態のまま手放しでも保持出来るほど、しっかり固定させることが出来るので泡立ての時にボウルに安定感があり作業が楽である。【００１９】  更に、この請求項２の発明はネジ蓋を開ける器具として使用することが可能であるが、その時に鍋保持体には、指を当接させ回転方向にその指が滑らないように保持させる効果もある。【００２０】  次に、請求項３に記載の発明においては、最外寸法の変更が可能な鍋敷きであり、更にネジ蓋開けとして使用可能であり、更に調理器具の滑り止めとして使用可能であり、請求項１・２に記載の発明���同じ効果を有するが、更にそれらに加えて次の効果も有する。【００２１】  背景技術に記した後者の技術はシート状である為、上に高温のフライパン等を載せるとテーブル面などにフライパンの熱が伝わり易く、テーブル面を痛め易いという欠点があった、しかし、本発明は薄板状の起立した鍋保持体が放熱板の役目を果たし、熱が下に伝わり難いという効果を有する。【００２２】  更に、弾力性を有するシリコン樹脂を原料とする為、起立した鍋保持体はクッションの役目を果たすので、例えば、特にガラスポット等を載せる時などは衝撃を吸収し、ガラスが割れにくいという効果を有する。
【発明を実施するための最良の形態】
【００２３】  以下、この発明を実施するための最良の形態について、図面に基づいて説明する。図１〜図６はこの発明の鍋敷きの第一の実施形態を示すもので、例えば基体２と鍋保持体３は反発力及び弾力性及び摩擦抵抗力及び耐熱性等の特性を有するシリコン樹脂を原料とし金型を用いて一体成形されている。そして、基体２は無端環状で内面と外面の２面の区別を有する断面の形状が上下方向に縦長の長方形のベルト状体であり、その基体２の内面と外面は反転可能である。【００２４】  さらに詳しくは、図１で示す状態の基体２の外面２ａと内面２ｂを反転させると図２に示す状態となる。ということは、図１で示される２ａは基体外面であるが、図２内ではその２ａは基体内面となり。また、図１で示される２ｂは基体内面であるが、図２内ではその２ｂは基体外面となる。【００２５】  そして、鍋やフライパン等の加熱調理器具を載せる為の鍋保持体３は薄板状体で、それが８箇所設けられており、さらに、その鍋保持体３は基体２の平面に対して垂直になる様に縦に起立している。そして、その８箇所の鍋保持体３の長さ方向は放射状であり、図１に示す場合では基体外面２ａに、若しくは図１の基体２を反転させた状態を示す図２の場合では基体内面２ａに設けられており、それら８箇所の鍋保持体３は基体２の円周方向に均等間隔で並べられている。【００２６】  その際、先にも記述した通り基体２の内面と外面はお互いに反転可能である為、前記鍋保持体３は図１内で示すならば外面２ａから外方向に、また図２内で示すならば内面２ａから内方向に延出させることとなるが、その延出させる長さは、図２内で示された場合の基体内面２ａに設けられた状態時において、前記８箇所の鍋保持体３の各先端部３ａ同士が重ならない程度の長さであると同時に鍋保持体３自身の高さ以上の長さである。【００２７】  また、鍋保持体３の高さは基体２の高さよりも少し高くなっており鍋保持体３の上端面３ｂと基体２の上端面２ｃとは段違いになっている。更に鍋保持体３と基体２の下端面同士も同様に段違いになっている。この段差は本鍋敷き１が鍋底面とテーブル面とに挟まれた状態時に基体２の内側空間に熱がこもり、その熱が冷めた時に基体２の内側空間が真空状態になって鍋底面が吸着されるのを防止する為の空気抜きとして機能する。【００２８】  次に、この第一実施形態の使用方法及び効果について説明する。まず前述した通り、図２に示した鍋敷き１ａは図１に示した鍋敷き１の基体２の外面２ａと内面２ｂを反転させた状態を示すものであり、図１と図２の基体２は径に大きさの変化はない。【００２９】  それをふまえて説明すると、図２に示した鍋敷き１ａは最外寸法が図１に示した鍋敷き１の最外寸法よりも鍋保持体３の長さ分だけ小さくなっているが、その小さくさせる方法は図３に示した様に、まず、手で基体２の一部を持つ。次に、その基体２の手で持った一部分の外面２ａが基体２の内面に成るようにひねり返す。すると基体２は弾力性及び反発力を有するシリコン樹脂であるため、その基体２の外面２ａは、前記の手で持った一部分の外面２ａ部分を基点に円周方向左右に連動して反転されてゆく。その結果、基体２は完全に内面と外面が反転され、それに伴い外面２ａに設���られた鍋保持体３は図２に示した様に内側に設けられた状態となり最外寸法は基体２の最外寸法のみとなり、図１に示した場合の鍋保持体３が外方向に延出された状態時よりも小さくなる。【００３０】  次に、本鍋敷き１は、摩擦抵抗力を有するシリコン樹脂を材料とする為、図１で示すところの基体２内面２ｂの摩擦抵抗力を利用して容器等のネジ開け具としても使用出来る。【００３１】  その使用方法を図１と図４を用いて説明すると、まず図１に示した様に、鍋保持体３が外方向に延出された状態の鍋敷き１の基体２の外面２ａを手でつかむ。次に図４に示すように、基体２の内面２ｂをネジ蓋４の側面に覆い被せた状態で強くつかむ。この時、鍋保持体３にはその側面に指を当接させて指を回転方向に滑らないように固定させる効果が有るので取扱いが楽である。そして、もう一方の手で容器５を握りそのままの状態で鍋敷き１を左方向に回転させれば、ネジ蓋４は基体内面２ｂの摩擦抵抗力で固定されて、鍋敷き１と一体に回転されてネジ蓋４がゆるめられる。つまり本鍋敷きは容器にネジ蓋が固く閉めつけられている場合の初期開放に大変役立つものである。【００３２】  更に本鍋敷き１はシリコン樹脂の摩擦抵抗力を利用して、すり鉢やボウル等の各種調理器具の下に敷くことにより作業をしやすくする為の滑り止め器具としても使用出来る。【００３３】  その使用方法の例を図１と図５を用いて説明すると、まず、鍋敷き１を図１に記すような鍋保持体３が外方向に延出された状態にし、テーブル等の上面に載せる。次に図５に示すように、ボウル６の細くなっている底部６ａを基体２の上端面２ｃより下に入れるように基体２に載せる。するとボウルの底部６ａの周囲は基体２の上端面２ｃ内側部分によってしっかりと固定される。そして、本鍋敷き１の鍋保持体３の下端面とテーブル上面もシリコン樹脂の摩擦抵抗力によってしっかりと固定される。この時、鍋保持体３は外方向に広がっているため大変安定感がある。更に、本鍋敷き１は基体２の上端面２ｃ内側部分でボウル６の底部６ａの周囲を固定させる構造である為、ボウルを少し斜めに傾けてもしっかりと固定出来る。【００３４】  次に、本鍋敷き１は図６に記す様に本来は鍋敷きとして使用する。例えば鍋保持体３を図１の様に外方向に広げて使用すると大きな鍋を載せる時に便利であり、鍋保持体３を内方向に納めて図２の様に小さな鍋敷きとして使用すると小さなポット等を載せる時に便利であり、テーブル面等で面積を大きくとらない。更に、小さくすることによって引き出しの中に収納する時などは場所もとらない。例えば、図２に示した本鍋敷き１ａは縦にした状態でも小さいので、引き出しの高さ内で収納出来る可能性も増し、片づけ易くて大変良い。そして、この第一実施形態の鍋敷き１は、背景技術に記した前者の技術と同様に最外寸法が変更可能であるが、これを最少の部点数つまり一つの部材のみで実現している。【００３５】  次に、この発明の第二実施形態について図７・８に基づいて説明する。基体１１は多少の反発力を有する太さで断面が真円の革紐を用いている。この場合その他には反発力及び弾力性を有する紐状の合成樹脂、例えばビニール又はシリコン又はエラストマー等を用いても良い。【００３６】  そして、その基体１１は両端面１１ｃを接着剤等の固定手段によって接合され無端環状になっており、上下に２本設けられている。更に、その２本の基体１１同士は同心であり同径であり平行である。この場合図８（図７中のＡ−Ａ線断面図）で示すように基体１１の断面が真円であると、基体１１単体では内側と外側の区別が曖昧で不明確であるが、基体１１を上下に２本以上設ける事により、その集合体である２本以上の基体１１に内側１１ｂと外側１１ａの区別が生じる。そして、その基体内側１１ｂと外側１１ａは反転可能である。【００３７】  次に鍋保持体１２には薄板状の木を用いている。この場合その他には耐熱性を有する材質であれば良い。例えばシリコン樹脂又は金属又は熱硬化性のプラスチック等を用いる事も可能である。そしてこの鍋保持体１２の一方の端部１２ｂには上下２箇所に貫通孔１２ｃが設けられており、その貫通孔１２ｃは前記の基体１１がゆとり無く嵌合する大きさである。【００３８】  そして、この実施形態の場合鍋保持体１２は８箇所有し、この８ヵ所の鍋保持体１２の上下２箇所の貫通孔１２ｃに上下２本の基体１１がゆとり無く嵌合されており、それら８箇所の鍋保持体１２同士は基体１１の円周方向にほぼ均等間隔に設けられており、更に鍋保持体１２は円周方向に移動不可能な固定手段によって固定され基体１１と鍋保持体１２は一体化されている。この実施形態の鍋敷き１０の場合はその固定手段に接着剤等を用いているが、その他の固体手段としては、例えば、鍋保持体１２の貫通孔１２ｃの径よりも少し太くした基体１１を無理やり貫通孔１２ｃに挿入させ、その基体１１の外方向への反発力を利用して簡単に移動しない様に固定させることも可能である。この手段は、基体１１が弾力性及び反発力を有する合成樹脂の場合に有効である。【００３９】  そして図７・８に記した状態の鍋敷き１０は基体１１の内側１１ｂと外側１１ａとを反転させることによって、外側に延出された鍋保持体が内側に収納される。【００４０】  この実施形態は、生産時に金型を必要とせず、小ロットで生産可能であり、初期投資時の高価な金型代の負担が無いので経済的に大変良い。更に、金型を必要としないので色々な大きさやデザインのものが製作しやすくなる。【００４１】  また、鍋保持体１２に耐熱性及び摩擦抵抗力を有するシリコン樹脂を用いた場合、鍋保持体１２の数量によっては、複数の鍋保持体１２の内側部１２ｄを利用して、容器のネジ蓋開け具としても使用することが可能となる。さらに、この場合、ボウルやすり鉢等の調理器具の滑り止めとしても使用可能となる。【００４２】  次に、この発明の第三実施形態について図９・１０に基づいて説明する。基体２１と鍋保持体２２は第一実施形態と同様のシリコン樹脂を原料とし、金型を用いて一体成形されている。【００４３】  更に詳しくは、まず図９によると４箇所の鍋保持体２２は薄板状であり、平面が略Ｖ字状になるように屈折された状態であり、そのＶ字の開放部２２ｂを外方向とし先端部２２ａを内方向とし、それら４箇所の鍋保持体２２は均等間隔で放射状に位置されており、その鍋保持体２２の開放部２２ｂから左右方向に内面２１ｂと外面２１ａを有するベルト状の基体２１を延出させて、これを互いに連結させた状態のものとすることにより一体となっており、更に、その基体２１は全体として平面が略円環状のものとなっている。【００４４】  つまり、鍋保持体２２は円環状の基体２１の内方向に延出させた状態となるが、その鍋保持体２２の長さは各先端部２２ａが重ならない程度の長さであり、鍋保持体２２自身の高さ以上の長さである。【００４５】  次に、この第三実施形態の使用方法及び効果について説明する。まず、図９に示した状態の鍋敷き２０の基体２１の内面２１ｂと外面２１ａを反転させると、図１０に示した様に鍋保持体２２が外方向に延出された状態の鍋敷き２０ａとなり、大小２つの寸法の鍋敷きとして使用出来る。これは、第一実施形態と同様に最少の部点数、つまり一部材のみで実現されている。【００４６】  また、図１０に示した鍋保持体２２を外方向に広げた状態の鍋敷き２０ａの基体２１の上端面２１ｃの内側部分では、ボウル等の調理器具の底部を囲むように固定出来る。つまり、調理台等の天面で調理する時に調理台の天面とボウルの間に本鍋敷き２０ａを敷くことによってボウル等の滑り止めとして使用出来る。【００４７】  また、図１０に示した状態の鍋敷き２０ａは、基体２１の内面２１ａにシリコン樹脂の特性である摩擦抵抗力を有している為、容器などのネジ蓋開け具としても使用出来る。【００４８】  更にその特徴としては、図９では鍋保持体２２の開放部２２ｂは開放された状態であるが、その図９に示した鍋敷き２０の基体２１を反転させた状態を示す図１０の鍋敷き２０ａでは、基体２１の反発力により鍋保持体２２の開放部２２ｂは閉じている。しかし、鍋保持体２２は弾力性を有するため開放部２２ｂは手で開くことが出来る。ということは、図１０で示すような開放部２２ｂが閉じた状態の基体２１の内寸は、開放部２２ｂが最大に開く事の出来る範囲内で大きくする事が可能である。つまり、容器のネジ蓋開け具として使用するときは、図１０内で示された様な開放部２２ｂが閉じた状態の基体２１の内寸よりも、ある程度大きな外寸のネジ蓋にも嵌合させる事が可能である。【００４９】  次に、この発明の第四実施形態について図１１に基づいて説明する。基体３１と鍋保持体３２は第一実施形態と同様のシリコン樹脂を原料とし、金型を用いて一体成形されている。【００５０】  更に詳しくは、基体３１は内面３１ｂと外面３１ａを有し、反発力を失うことのない太さを有し、断面が略正方形の長さ方向に湾曲した角棒状である。そして、鍋保持体３２は４箇所有し、その鍋保持体３２は同じ径を有する球状の先端部３２ａと基部３２ｂ更に棒状の連結部３２ｃとで構成されている。【００５１】  そして、鍋保持体３２の基部３２ｂの表面から左右方向に基体３１を延出させて、これらが互いに均等間隔で連結されている状態とすることによって基体３１と鍋保持体３２が一体化されており全体としては基体３１は略円環状に構成される。【００５２】  その結果、鍋保持体３２は略円環状の基体３１から内方向若しくは外方向に延出された状態となるが、その鍋保持体３２の長さは、図１１内で点線で表わした様に基体３１内側に延出された状態時において各先端部３２ａ同士が重ならない程度の長さである。【００５３】  次に���この第四実施形態の使用方法及び効果について説明する。まず、図１１内に示したように鍋保持体３２が外方向に広がった状態であると大きな鍋敷きとして使用出来、また、その状態の基体３１の内面３１ｂと外面３１ａを反転させた状態を示す点線で表わした図の様に、鍋保持体３２が内方向に収納された状態であると、小さな鍋敷きとして使用出来る。【００５４】  その場合、鍋保持体３２の保持部分となる先端部３２ａと基部３２ｂは球状である為、テーブル面への接地部分は略点状となり、仮にテーブルの天面に鍋敷きの跡が残ったとしても目立ち難い。更に、シリコン樹脂製の鍋敷きの場合、時には欠点の１つにもなる事のある、シリコン樹脂の粘着力によって鍋等の加熱調理器具の底面に貼り付いてしまう。という事がない。【００５５】  その他には、容器のネジ蓋開け具として使用する事が可能であり、その使用方法は、まず、鍋保持体３２が外方向に広がった状態にする。そして、環状の基体３１の内側でネジ蓋を覆うように強く挟む。すると鍋保持体３２の基部３２ｂの内方向の頂点及び基体３１の内面３１ｂがネジ蓋の側面に接地する。そしてシリコン樹脂の特性である摩擦抵抗力によってネジ蓋を固定させ、その状態のまま本鍋敷き３０を左方向に回転させてネジ蓋を緩める。【００５６】  その他には、ボウル等の調理器具の滑り止めとして使用する事が可能であり、その使用方法は、まず鍋保持体３２が外方向に広がった状態にする。そして、４箇所の鍋保持体３２の基部３２ｂ同士の内側にボウルの細くなった底部を入れるように載せる。すると、ボウルの形状に応じた適当な基部３２ｂの頂点がボウルの底部に接地する。つまり、４箇所の頂点によってボウルはしっかりと固定される。つまり、シリコン樹脂を原料とする本鍋敷き３０を調理器具と調理台等の天面との間に敷くことによって、調理器具の滑り止めとすることが可能である。【００５７】  更には、以上のように本実施形態の鍋敷き３０は大きさの変更が可能であり、そして滑り止め器具として使用可能であり、そしてネジ蓋開け具として使用可能でありと、いくつかの効果を有しているが、これらを最少の部点数、つまり一部材のみで実現している。【００５８】  次に、この発明の第五実施形態について図１２に基づいて説明する。ある程度の高さを有する鍋保持体４２と基体４１は第一実施形態と同様のシリコン樹脂を原料とし金型を用いて一体成形されている。その鍋保持体４２の平面は例えると三角屋根の家形状であり、基体４１は内面４１ｂと外面４１ａが反転可能な短いベルト状である。【００５９】  更に詳しくは、鍋保持体４２の三角屋根状の頂点に当たる部分を先端部４２ａとすると家ならば土台に当たる反対側部分を基部４２ｂとする。そして、４箇所の鍋保持体４２の基部４２ｂの両端から左右方向に基体４１を延出させて、これらが互いに均等間隔で連結されている状態とすることによって基体４１と鍋保持体４２が一体化されており、その基体４１は全体的に略角環状に構成される。【００６０】  その結果、鍋保持体４２は略角環状の基体４１から内方向若しくは外方向に延出された状態となるが、その鍋保持体４２の長さは図１２内で点線で表わした様に基体４１内側に延出された状態時に各先端部��２ａ同士が重ならない程度の長さである。【００６１】  更に、鍋保持体４２の一部には上下方向に貫通した透孔４２ｅが設けられており、この透孔４２ｅの内周面は上方から下方に拡がるテーパー状に形成されている。【００６２】  次に、この第五実施形態の使用方法及び効果について説明する。まず、図１２内に示した様に鍋保持体４２が外方向に広がった状態であると、大きな鍋敷きとして使用出来、また、その状態の基体４１の内面４１ｂと外面４１ａを反転させた状態を示す点線で表わした図の様に、鍋保持体４２が内方向に収納された状態であると、小さな鍋敷きとして使用出来る。【００６３】  ところで本実施形態の鍋敷き４０の場合、鍋保持体４２の表裏面の平面積が広い為、シリコン樹脂の粘着力によって鍋の底面に貼り付き易くなるが、鍋保持体４２の表裏面に凹凸状部を設けるか、又は家形の外周端部を上下方向に少し立ち上がらせることによって、その外周端部は平面が家形で断面が上下に立ち上がった凸状部となり、本鍋敷き４０は鍋の底面に貼り付き難くなる。【００６４】  その他には、平面が円形の容器のネジ蓋を開ける器具として使用する事が可能であり、その使用方法は、まず鍋保持体４２が外方向に広がった状態にする。そして、環状に構成された基体４１の内面４１ｂと一体化された鍋保持体４２の内側部４２ｃでネジ蓋の側面を覆うように挟む。その時、ネジ蓋の径により多少の違いはあるが、全体的に正方形の角環状に構成された基体４１と、その基体４１と一体化された鍋保持体４２の内側部４２ｃを結ぶ形は、前記の正方形から少しつぶれた状態である菱形へと変化しながら円形のネジ蓋を挟み込む、すると４箇所の鍋保持体４２の内側部４２ｃの適当な箇所４点でネジ蓋を挟むこととなる。そして、シリコン樹脂の特性である摩擦抵抗力によって、ネジ蓋を固定させて本鍋敷き４０を左方向に回転させてネジ蓋を緩める。【００６５】  更に、鍋保持体４２の一部に設けられた透孔４２ｅでは、比較的径の小さい例えばペットボトル等のネジ蓋を開ける事も出来る。その方法は、本鍋敷き４０を手に持って透孔４２ｅの下方の開口部分をペットボトルの蓋に被せながら押し付けると、上方に向かって狭くなっている内周面が、弾性変形して拡径しながら、ペットボトルの蓋に圧入、嵌合される。そして、本鍋敷き４０を透孔４２ｅが中心軸となる要領で左に回転させれば、透孔４２ｅの内面は摩擦抵抗力が大きいので本鍋敷き４０とペットボトルの蓋は一体に回転されて、ネジを緩める事が出来る。この透孔４２ｅは本実施形態の鍋保持体４２の平面積が広いが故に設ける事が可能となるものである。【００６６】  その他には、ボウルやすり鉢等の調理器具の滑り止め具として使用することが可能であり、その使用方法は、平面が真円で底に向かって細くなっている一般的な形状のボウルを用いて例えると、まず、鍋保持体４２を外方向に広がった状態にする。そして、４箇所の鍋保持体４２同士の内側にボウルの細くなった底部を入れるように載せる。【００６７】  すると、ボウルの形状に応じる鍋保持体４２の天面と内側部４２ｃが交差する４箇所の辺４２ｄの中心部によってしっかりと固定される。この様に、シリコン樹脂を原料とする本鍋敷き４０を調理器具と調理台等の天面との間に敷く事によって、調理器具の滑り止めとする事が可能である。【００６８】  更には、以上の様に本実施形態の鍋敷き４０は大きさの変更が可能であり、そして、滑り止め器具として使用可能であり、そしてネジ蓋開け具として使用可能でありといくつかの効果を有しているが、これらを最少の部点数、つまり一部材のみで実現している。【００６９】  更に、本実施形態の鍋敷き４０の鍋保持体４２は表裏の面積が比較的広い為、その表裏面にプリントや彫刻等でデザインを施す事が比較的容易であり、業者の思想等をアピールする事が容易である。【００７０】  尚、この発明の鍋敷きは、上記各実施形態に限定されるものではなく、各部材の形状及び数量は適宣変更可能である。【００７１】  例えば第二実施形態においては素材等も適宣変更可能であり基体と鍋保持体の固定手段等も適宣変更可能である。【００７２】  さらに、各部材の形状としては、基体に関して例えるならば、第一実施形態ではベルト状の基体２は断面が上下方向に長い長方形である。しかし、内側と外側の区別を有する形状であるならば、断面の形状は自由である。例えば、断面が上下方向に長い楕円形であってもよいし、又は縦長の半月形、又は縦型の菱形、又は正方形であっても良い。【００７３】  その他には、上記各実施形態では環状に構成される基体の全体的な平面の形状及び配置は略円環状と略角環状に構成されてそれぞれ実施されているが、鍋保持体の形状及び数量によっては基体の平面の形状及び配置は全体的に環状であるならば、上記以外の多角形の形状を有する環状であっても良い。
【図面の簡単な説明】
【００７４】
【図１】  本発明の第一実施形態の鍋敷きの斜視図である。
【図２】  本発明の第一実施形態の鍋敷きの斜視図である。
【図３】  本発明の第一実施形態の使用時の状態を示す斜視図である。
【図４】  本発明の第一実施形態の使用時の状態を示す斜視図である。
【図５】  本発明の第一実施形態の使用時の状態を示す斜視図である。
【図６】  本発明の第一実施形態の使用時の状態を示す斜視図である。
【図７】  本発明の第二実施形態の鍋敷きの斜視図である。
【図８】  図７のＡ−Ａ線断面図である。
【図９】  本発明の第三実施形態の鍋敷きの斜視図である。
【図１０】  本発明の第三実施形態の鍋敷きの斜視図である。
【図１１】  本発明の第四実施形態の鍋敷きの斜視図である。
【図１２】  本発明の第五実施形態の鍋敷きの斜視図である。
【符号の説明】
【００７５】  ２、１１、２１、３１、４１  基体
３、１２、２２、３２、４２  鍋保持体
【図１】
2006020999.tif 000003
【図２】
2006020999.tif 000004
【図３】
2006020999.tif 000005
【図４】
2006020999.tif 000006
【図５】
2006020999.tif 000007
【図６】
2006020999.tif 000008
【図７】
2006020999.tif 000009
【図８】
2006020999.tif 000010
【図９】
2006020999.tif 000011
【図１０】
2006020999.tif 000012
【図１１】
2006020999.tif 000013
【図１２】
2006020999.tif 000014